(57)【要約】    【課題】  複数の振動吸収器を用いた防振装置を介して筐体本体が設置される場合に、振動吸収器に製作誤差があった場合にも、筐体本体の設置が計画通りに行える様にする。    【解決手段】  防振装置２と該防振装置に設置される筐体本体１とを具備する電子機器の筐体に於いて、前記防振装置が下プレート７と上プレート８、該上下プレート間に挾設された振動吸収器とを有し、前記上プレートは前記下プレートに位置決めされた後前記振動吸収器に固定された。    【選択図】          図１
2007327622.tif 000002
【特許請求の範囲】
【請求項１】
防振装置と該防振装置に設置される筐体本体とを具備する電子機器の筐体に於いて、前記防振装置が下プレートと上プレート、該上下プレート間に挾設された振動吸収器とを有し、前記上プレートは前記下プレートに位置決めされた後前記振動吸収器に固定されたことを特徴とする電子機器の筐体。
【発明の詳細な説明】
【技術分野】
【０００１】
本発明は船舶、車両等移動体に設置される電子機器の筐体に関し、特に防振機能を有する電子機器の筐体に関するものである。
【背景技術】
【０００２】
船舶、車両等の移動体に設置される電子機器の筐体では、移動体からの振動で筐体に収納されている電子部品、電子回路に損傷を与えない様、防振機能を具備している。
【０００３】
即ち、図７に示す様に筐体本体１の下部には防振装置２が設けられ、該防振装置２を介して前記筐体本体１が設置されている。
【０００４】
前記防振装置２に用いられる振動吸収器の１つとして、図１１に見られる様に、コイル状に巻設した弾性線材３の下面、上面に下固定バー４、上固定バー５を固着した振動吸収器６がある。
【０００５】
前記防振装置２は下プレート７、前記振動吸収器６、上プレート８により構成され、前記下プレート７と前記上プレート８間に前記振動吸収器６が挾設され、前記下固定バー４が前記下プレート７にボルト等により固定され、又前記上固定バー５が前記上プレート８にボルト等によって固定される。前記振動吸収器６は前記下プレート７と前記上プレート８間に所要箇所（図示では４箇所、４角）に配設され、前記防振装置２が構成される。
【０００６】
又、前記下プレート７が移動体側の部材（図示せず）に固定され、前記上プレート８に前記筐体本体１がボルト等によって固定され、該筐体本体１は前記防振装置２を介して移動体（図示せず）に設置される。
【０００７】
前記振動吸収器６は前記弾性線材３のコイル形状が上下方向に変形することで、上下方向の振動を吸収し、又前記コイル形状が、前後、左右に傾斜することで水平２方向の振動を吸収する様になっている。
【０００８】
前記振動吸収器６が用いられた前記防振装置２に於いて、前記下固定バー４、前記上固定バー５は、弾性変形する前記弾性線材３の上下に設けらるという構造上、相対的な位置ずれ、例えば前記下固定バー４と前記上固定バー５間で軸心方向のずれ（図１２参照）、軸心と直角方向のずれ（図１０参照）、或はねじれ方向のずれ（図１３参照）等の製作誤差を発生することが避けられない。
【０００９】
従って、前記振動吸収器６を前記下プレート７に取付けた状態では、図１０に見られる様に、個々の振動吸収器６の前記上固定バー５は種々の方向に、ずれている。
【００１０】
従来、前記上固定バー５への前記上プレート８の取付けは、前記弾性線材３を変位させ、前記上プレート８に穿設された止め孔と前記上固定バー５に穿設された螺子孔とを強制的に一致させ、ボルトにより固定している。
【００１１】
この為、前記弾性線材３の変位が、前記下プレート７と前記上プレート８との相対位置ずれを生じさせることとなっていた。この状態で、前記筐体本体１を前記上プレート８に設置すると、前記筐体本体１が設置基準よりずれ、或は該筐体本体１を複数連設した場合、設置上の誤差により該筐体本体１の並びに凹凸や隙間を生じさせることになり、又該筐体本体１を複数連設することで、設置上の誤差が更に大きくなる。又、隣接する上プレート８，８間で位置ずれを生じている場合は、２つの防振装置２，２に掛渡って装置を設置できないという問題があった。
【発明の開示】
【発明が解決しようとする課題】
【００１２】
本発明は斯かる実情に鑑み、複数の振動吸収器を用いた防振装置を介して筐体本体が設置される場合に、振動吸収器に製作誤差があった場合にも、筐体本体の設置が計画通りに行える様にするものである。
【課題を解決するための手段】
【００１３】
本発明は、防振装置と該防振装置に設置される筐体本体とを具備する電子機器の筐体に於いて、前記防振装置が下プレートと上プレート、該上下プレート間に挾設された振動吸収器とを有し、前記上プレートは前記下プレートに位置決めされた後前記振動吸収器に固定された電子機器の筐体に係るものである。
【発明の効果】
【００１４】
本発明によれば、防振装置と該防振装置に設置される筐体本体とを具備する電子機器の筐体に於いて、前記防振装置が下プレートと上プレート、該上下プレート間に挾設された振動吸収器とを有し、前記上プレートは前記下プレートに位置決めされた後前記振動吸収器に固定されたので、該振動吸収器に製作誤差があった場合も前記筐体本体は予定された位置に正確に設置可能となるという優れた効果を発揮する。
【発明を実施するための最良の形態】
【００１５】
以下、図面を参照しつつ本発明を実施する為の最良の形態を説明する。
【００１６】
図１〜図６中、図７〜図１３中で示したものと同等のものには同符号を付してある。
【００１７】
筐体は筐体本体１と防振装置２とを具備し、前記筐体本体１は前記防振装置２を介して移動体等所要位置に設置される。
【００１８】
前記防振装置２は、下プレート７、該下プレート７の所要位置、例えば該下プレート７の４角に取付けられる振動吸収器６、該振動吸収器６に掛渡って設けられる上プレート８とを具備し、前記下プレート７と前記振動吸収器６の下固定バー４との取付けは、ボルトで固着されることで行われ、前記上プレート８と上固定バー５との取付けは、前記上プレート８側から挿通したボルトを前記上固定バー５に螺着することで行われる。
【００１９】
前記上プレート８と前記振動吸収器６との取付けは、該振動吸収器６と前記下プレート７との取付け位置調整が完了した後に行われる。前記上プレート８を前記振動吸収器６に載置し、前記上プレート８と前記下プレート７間の位置調整が完了した後に、ボルト１１により前記上プレート８と前記上固定バー５との固定を行う。
【００２０】
上記した様に、個々の振動吸収器６について、前記下固定バー４と前記上固定バー５間で位置ずれを生じているので、前記振動吸収器６側の螺子孔１２と前記上プレート８に穿設された通孔１３とはずれていることが多く（図６参照）、この為該通孔１３はずれ量を吸収する以上の大きさになっており、該通孔１３を挿通した前記ボルト１１を前記螺子孔１２に螺着した場合に前記振動吸収器６に弾性線材３を変位させる様な強制力が作用しない様に設定されている。尚、前記ボルト１１の頭が前記通孔１３よりも小さい場合は、大径の座金又は図５で示される様な座金プレート１５を介在させ前記ボルト１１を螺着させる様にしてもよい。
【００２１】
前記振動吸収器６が変位したままの自由状態で、前記上プレート８が前記振動吸収器６に取付けられるので、前記上プレート８を取付け後、該上プレート８と前記下プレート７とはずれを生じることがない。
【００２２】
該下プレート７、前記振動吸収器６、前記上プレート８により前記防振装置２を組立てた後、該防振装置２を電子機器の筐体の据付け場所に設置する。
【００２３】
据付け場所には予め、位置決め駒１６が取付けられており、該位置決め駒１６は前記防振装置２の設置面との間にＶ溝を形成する逆斜面を有している。前記下プレート７の後端（図２中右端）には、楔バー１７が固着され、該楔バー１７は前記逆斜面に係合する斜面を有し、前記楔バー１７が前記Ｖ溝に挿入されることで、楔効果で前記下プレート７の後端が固定される様になっている。
【００２４】
前記楔バー１７を前記Ｖ溝に挿入した状態で、前記下プレート７の前端をボルトで固定し、前記防振装置２の設置が完了する。該防振装置２の設置は前記下プレート７の前端からの作業のみで完了する。更に、前記筐体本体１は前記防振装置２上に設置される。
【００２５】
該防振装置２に前記筐体本体１を設置した場合も、前記下プレート７と前記上プレート８間でずれがないので、前記筐体本体１は所定位置に正しく設置され、筐体を連結した場合も、並びに凹凸や隙間が生じることなく、又、隣接する２つの防振装置２，２に掛渡って大型の筐体を設置することが可能となる。
【００２６】
次に、前記上プレート８と前記下プレート７とを位置合せし、前記上プレート８を前記振動吸収器６に取付ける場合について説明する。
【００２７】
前記下プレート７と前記上プレート８は、例えば重合せ、位置決めした状態、或は同等に位置合せして、前記下プレート７、前記上プレート８の同一位置にガイド孔を穿設しておく。ガイド孔は少なくとも２つ穿設する。
【００２８】
前記上プレート８を前記振動吸収器６に載置した状態で、ガイドピン１４を前記上下のプレート７，８の前記ガイド孔に貫通させる。前記ガイドピン１４が２箇所に貫通されることで、前記上下のプレート７，８の位置決めが為される。前記ガイドピン１４を貫通させたままで、即ち位置決めされた状態で、前記上プレート８と前記上固定バー５とを前記ボルト１１で固着する。前記上プレート８と前記上固定バー５間の固定が完了すると、前記ガイドピン１４を抜去する。
【００２９】
該ガイドピン１４を抜去しても、前記弾性線材３に変位を生じさせていないので、前記下プレート７と前記上プレート８間で位置ずれが生じることはない。
【００３０】
尚、前記下プレート７と前記上プレート８を位置決めするものは、前記ガイドピン１４に限らず、前記下プレート７と前記上プレート８間の位置を拘束するものであればよい。
【図面の簡単な説明】
【００３１】
【図１】本発明の実施の形態に係る電子機器の筐体の正面図である。
【図２】本発明の実施の形態に係る防振装置の平面図である。
【図３】該防振装置の側面図である。
【図４】該防振装置に於ける位置決め状態の平面図である。
【図５】該防振装置に於ける位置決め状態の側面図である。
【図６】図４のＡ部拡大図である。
【図７】従来の電子機器の筐体の正面図である。
【図８】従来の電子機器の筐体に於ける防振装置の平面図である。
【図９】該防振装置の側面図である。
【図１０】該防振装置に於ける下プレートと振動吸収器との関係を示す説明図である。
【図１１】該振動吸収器の拡大正面図である。
【図１２】該振動吸収器に於ける位置ずれ状態を示す説明図である。
【図１３】該振動吸収器に於ける位置ずれ状態を示す説明図である。
【符号の説明】
【００３２】
１              筐体本体
２              防振装置
３              弾性線材
４              下固定バー
５              上固定バー
６              振動吸収器
７              下プレート
８              上プレート
【図１】
2007327622.tif 000003
【図２】
2007327622.tif 000004
【図３】
2007327622.tif 000005
【図４】
2007327622.tif 000006
【図５】
2007327622.tif 000007
【図６】
2007327622.tif 000008
【図７】
2007327622.tif 000009
【図８】
2007327622.tif 000010
【図９】
2007327622.tif 000011
【図１０】
2007327622.tif 000012
【図１１】
2007327622.tif 000013
【図１２】
2007327622.tif 000014
【図１３】
2007327622.tif 000015